(57)【特許請求の範囲】
【請求項１】
キャビネットの上に配置されるカウンタートップの天板部とシンク部とを合成樹脂で形成すると共に、筒状に形成されたシンク部の下端部に金属製のシンク底部材を液密状に嵌合係止させて構成し、上記シンク底部材は、上記シンク筒部の下端部が当接する棚部と、該棚部からシンク筒部外周面方向に立ち上がり形成されたフランジ部と、先端部が上記シンク筒部に係止する方向に上記フランジ部から延びる係止片部と、から構成したことを特徴とするカウンタートップ。
【発明の詳細な説明】
【０００１】
【発明の属する技術分野】
本発明は、流し台や洗面台等のカウンタートップに係り、特に、天板部とシンク部が人造大理石等の合成樹脂で形成されているカウンタートップに関する。
【０００２】
【従来技術とその課題】
従来の水槽付きカウンタートップは、例えば、金属材を絞り成型したシンクを天板部のシンク取付開口に落とし込み、上記シンクのフランジ部を上記シンク取付開口周縁部に係止させ、シリコンやウレタン或は取付金具を介して天板部とシンク部とを液密状に一体化させて形成しているのが現状である。
【０００３】
しかしながら、上記従来のカウンタートップにあっては、天板部にシンク取付開口を開設しなければならず、しかも、その加工要求精度は、非常に高精度のものが要求されるため、かかる作業が非常に煩雑であり、また、シンク取付開口から除去された天板部は廃棄処分されるため、材料の無駄が多く発生する、という問題を有していた。
【０００４】
このような問題を解決する手段としては、例えば、カウンタートップの天板部とシンク部とを合成樹脂で一体形成することも考えられるが、シンク部を合成樹脂で形成した場合には、鍋等を落としたときの衝撃によりクラック等が発生し易く、耐衝撃性の面で多くの問題を有していた。
【０００５】
この発明は、かかる現状に鑑み創案されたものであって、その目的とするところは、成型性に優れ、材料の無駄を可及的に低減させることができるとともに、耐衝撃性にも優れたカウンタートップを提供しようとするものである。
【０００６】
【課題を解決するための手段】
上記目的を達成するため、この発明に係るカウンタートップにあっては、キャビネットの上に配置されるカウンタートップの天板部とシンク部を合成樹脂で形成すると共に、筒状に形成されたシンク部の下端部に金属製のシンク底部材を液密状に嵌合係止させて構成し、上記シンク底部材を、上記シンク筒部の下端部が当接する棚部と、該棚部からシンク筒部外周面方向に立ち上がり形成されたフランジ部と、先端部が上記シンク筒部に係止する方向に上記フランジ部から延びる係止片部と、から構成したことを特徴とするものである。
【０００７】
【発明の実施の形態】
以下、添付図面に示す発明の実施の形態例に基づき、この発明を詳細に説明する。
【０００８】
図１と図２は、この発明の実施の第１形態例に係るカウンタートップ１を示しており、この形態例に係るカウンタートップ１は、キャビネット（図示せず）の上に配置される天板部２とラウンドシンク部３およびラウンドポケットシンク部４が、例えば、人造大理石等の合成樹脂で一体に形成されていると共に、筒状に形成されたラウンドシンク部３とラウンドポケットシンク部４の下端部には、ステンレス材等の金属材を絞り成型したシンク底部材５およびポケットシンク部材６が夫々液密状に嵌合係止されて構成されている。
【０００９】
勿論、上記ラウンドシンク部３とラウンドポケットシンク部４は、天板部２とは同じ合成樹脂で別体に構成してもよく、この場合には、図１中点線で示すように、天板部２の成型により開設されたシンク取付開口部に落とし込んでそのフランジ部をシリコン等の接着剤でシンク取付開口周縁部に一体的に固着して形成しても構わない。この場合、従来とは異なり、予め成型によりシンク取付開口を形成しているので、高精度の開口を容易に得ることができ、作業の煩雑さは生じない。
【００１０】
一方、上記シンク底部材５は、排水管（図示せず）が連通接続される断面形状が略Ｕ字状に形成された底部７と、この底部７から水平方向に延設され上記ラウンドシンク部３の下端部が当接する棚部８と、該棚部８から垂直方向に立ち上がり形成されたフランジ部９と、該フランジ９に溶接固定された係止片部１０と、から構成されている。
【００１１】
この係止片部１０は、上記フランジ部９の周方向に沿って複数個が所要間隔毎に上記フランジ部９の内周面に溶接固定されており、該フランジ部９の内周面に当接する溶接面部１１と、この溶接面部１１の下端部から先端部が上記ラウンドシンク部３の外周面に食い込むように下がり勾配で延設された傾斜係止部１２と、から構成されている。尚、図中符号１３は、上記ラウンドシンク部３とシンク底部材５とを液密状に保持するシリコン材である。
【００１２】
上記ポケットシンク底部材６は、排水管（図示せず）が連通接続される断面形状が略Ｕ字状に形成された底部１４と、この底部１４から水平方向に延設され上記ラウンドポケットシンク部４の下端部が当接する棚部１５と、該棚部１５から垂直方向に立ち上がり形成されたフランジ部１６と、該フランジ１６に溶接固定された係止片部１７と、から構成されている。
【００１３】
この係止片部１７は、上記フランジ部１６の周方向に沿って複数個が所要間隔毎に上記フランジ部１６の内周面に溶接固定されており、該フランジ部１６の内周面に当接する溶接面部１８と、この溶接面部１８の下端部から先端部が上記ラウンドポケットシンク部４の外周面に食い込むように下がり勾配で延設された傾斜係止部１９と、から構成されている。尚、図中符号２０は、上記ラウンドポケットシンク部４とポケットシンク底部材６とを液密状に保持するシリコン材である。
【００１４】
この形態例に係るカウンタートップ１は、以上説明したように構成されているので、天板部２とラウンドシンク部３およびラウンドポケットシンク部４とを、人造大理石等の合成樹脂で一体に形成することができるため、カウンタートップ１の成型方法バリエーションを拡大させることができ、また、従来のように、シンクやポケットシンクを落とし込み係止させるための開口をシンク形状や大きさに対応させて高精度に加工して開設する必要がなく、作業性を大幅に簡略化することができると共に、材料の無駄を低減し、合成樹脂使用量を低減させることができる。
【００１５】
また、この種のカウンタートップ１において最も耐衝撃性能が求められるシンク底部も、この形態例に係るカウンタートップ１にあっては、金属製のものを一体的に容易に取り付けることができるように構成したので、鍋等を落としてもクラック等が発生する虞れもなく、また、シンク底部材５およびポケットシンク部材６の取付作業も非常に簡便であり、しかも、取付後は、各係止片部１０，１７の先端部が上記ラウンドシンク部３及びラウンドポケットシンク部４の外周面に食い込むため、みだりに落下する、という心配もなく、耐久性に優れている、という効果を得ることができる。
【００１６】
加えて、この形態例に係るカウンタートップ１にあっては、現場でシンク底部材５およびポケットシンク部材６を取り付ることができるため、現場施工に公的であり、また、これらシンク底部材５とポケットシンク部材６は従来の金属製シンクや金属製ポケットシンクと同様の材質で形成することができるため、この従来のシンクやポケットシンクに用いられていた排水トラップをそのまま使用することができ、専用の排水トラップを必要としないため、経済的であり、さらには、廃材回収時に、天板部２及びラウンドシンク部３，ラウンドポケットシンク部４とシンク底部材５及びポケットシンク部材６とを別々に回収することが可能である、という効果も得られる。
【００１７】
図３と図４は、この発明の実施の第２形態例に係るカウンタートップ１を示しており、この形態例に係るカウンタートップ１では、第１形態例で用いた所謂内付け式の係止片部１０，１７に代えて、所謂外付け式の係止片部２１で構成した他は、他の構成・作用は前記第１形態例と同様であるので、図面には第１形態例で用いた符号と同一の符号を付してその詳細な説明をここでは省略する。
【００１８】
即ち、この形態例に係る係止片部２１は、シンク底部材５（または、ポケットシンク部材６）の棚部８（１５）からフランジ部９（１６）に当接する略Ｌ字状の溶接面部２２と、この溶接面部２２から略逆レ字状に延設された傾斜係止部２３と、から構成されており、該傾斜係止部２３の先端部が、上記ラウンドシンク部３（または、ラウンドポケットシンク部４）の外周面に食い込むように構成されている。
【００１９】
尚、この発明は、図示の形態例に限定されるものではなく、上記天板部２とラウンドシンク部３及びラウンドポケットシンク部４の組み合わせにより、この種のカウンタートップ１のバリエーションを拡大することができ、また、ラウンドシンク部３及びラウンドポケットシンク部４の高さ寸法を変更し、かつ、シンク底部材５及びポケットシンク部材６の材質や底面形状を変更することで、カウンタートップ１のバリエーションを更に容易に拡大することができる。
【００２０】
【発明の効果】
この発明に係るカウンタートップは、以上説明したように構成したので、成型性に優れ、材料の無駄を可及的に低減させることができるとともに、耐衝撃性にも優れた、という優れた効果を奏する。
【図面の簡単な説明】
【図１】この発明の実施の第１形態例に係るカウンタートップの構成を示す断面図である。
【図２】同カウンタートップの要部拡大斜視図である。
【図３】この発明の実施の第２形態例に係るカウンタートップの要部の構成を示す斜視図である。
【図４】同カウンタートップの要部断面図である。
【符号の説明】
１  カウンタートップ
２  天板部
３  ラウンドシンク部
４  ラウンドポケットシンク部
５  シンク底部材
６  ポケットシンク底部材
８，１５  棚部
９，１６  フランジ部
１０，１７，２１  係止片部
【図１】
0003562613.tif 000002
【図２】
0003562613.tif 000003
【図３】
0003562613.tif 000004
【図４】
0003562613.tif 000005